(57)【要約】【課題】貯水タンクの形状、大きさに対応して取り付けることが可能で、振動による貯水タンクの転倒等が抑制され、設置安定性に優れた貯水タンクの固定構造を提供すること。【解決手段】載置された貯水タンク１を、固定部材１１によって後方から支持、固定する固定構造であって、固定部材１１は、垂直部１２と、垂直部１２の下端から後方に延設される水平部１３と、垂直部１２に配設される長尺なベルト部材１４とを有し、貯水タンク１の背面と垂直部１２とが当接対峙した状態で水平部１３が地面に固定されているとともに、ベルト部材１４によって貯水タンク１の外周面が全周に亘って外側から保持されている。【選択図】図１
2011174261.tif 000002
【特許請求の範囲】
【請求項１】
載置された貯水タンクを、固定部材によって後方から支持、固定する固定構造であって、
固定部材は、垂直部と、垂直部の下端から後方に延設される水平部と、垂直部に配設される長尺なベルト部材とを有し、
貯水タンクの背面と垂直部とが当接対峙した状態で水平部が地面に固定されているとともに、ベルト部材によって貯水タンクの外周面が全周に亘って外側から保持されていることを特徴とする貯水タンクの固定構造。
【請求項２】
水平部には貫通孔が設けられており、貫通孔に挿入される締結部材によって、水平部が地面に固定されていることを特徴とする請求項１に記載の貯水タンクの固定構造。
【請求項３】
貫通孔は、貯水タンクの前後方向に長い長孔であることを特徴とする請求項２に記載の貯水タンクの固定構造。
【請求項４】
固定部材は、垂直部および水平部の両側端部から側片が一体に延設されて、断面略コ字状であることを特徴とする請求項１から３のいずれかに記載の貯水タンクの固定構造。
【請求項５】
ベルト部材の一端部は、垂直部の一方の側片に固定され、ベルト部材の他端部は、垂直部の他方の側片に固定されていることを特徴とする請求項４に記載の貯水タンクの固定構造。
【請求項６】
貯水タンクの外周面に、１または２以上の凹溝が水平方向の全周に亘って形成されており、この凹溝内にベルト部材が嵌合していることを特徴とする請求項１から５のいずれかに記載の貯水タンクの固定構造。
【請求項７】
ベルト部材は、長さ調整が可能であることを特徴とする請求項１から６のいずれかに記載の貯水タンクの固定構造。
【請求項８】
貯水タンクの背面上部にフック部材が配設されており、両端に締結部材を備えた紐状部材が前記フック部材に係止されるとともに、この締結部材が地面に打設されて固定されることで、貯水タンクの上部が固定されていることを特徴とする請求項１から７のいずれかに記載の貯水タンクの固定構造。
【請求項９】
貯水タンクの固定構造に使用される固定部材であって、
垂直部と、垂直部の下端から後方に延設されるとともに貫通孔が形成された水平部と、垂直部に配設されるベルト部材とを有し、ベルト部材は、貯水タンクの外周面を全周に亘って外側から保持可能とされていることを特徴とする固定部材。
【請求項１０】
貫通孔は、貯水タンクの前後方向に長い長孔であることを特徴とする請求項９に記載の固定部材。
【請求項１１】
固定部材は、垂直部および水平部の両側端部から側片が一体に延設されて、断面略コ字状であることを特徴とする請求項９または１０に記載の固定部材。
【請求項１２】
ベルト部材の一端部は、垂直部の一方の側片に固定され、ベルト部材の他端部は、垂直部の他方の側片に固定されていることを特徴とする請求項９から１１のいずれかに記載の固定部材。
【請求項１３】
ベルト部材は、長さ調整が可能であることを特徴とする請求項９から１２のいずれかに記載の固定部材。
【発明の詳細な説明】
【技術分野】
【０００１】
本発明は、貯水タンクの固定構造および固定部材に関する。
【背景技術】
【０００２】
図７の概要図に示すように、建物Ｈの屋根Ｒに降った雨水を軒樋３０に集め、竪樋３１に設けた取水装置３２を通じて取水し、貯えることのできる雨水の貯水タンク３３が知られている。また、この貯水タンク３３では、容量を超える雨水が貯水された場合に、余剰分の雨水を竪樋３１へ戻し、地中の埋設管へ排水するための排水装置３４を備えてもいる。
【０００３】
そして、貯水タンク３３に貯えられた雨水は、貯水タンク３３外周の適宜位置に配設された蛇口３５から取水され、例えば、農業用・園芸用などに有効利用されている。
【０００４】
このような貯水タンク３３の場合、貯えられている雨水が多いほど貯水タンク３３全体の重量が大きくなるため、設置安定性は高くなる。一方、貯水タンク３３内の雨水量が少ない場合には、設置安定性は低下するものの、通常、蛇口３５が配設された位置より下方の雨水は使用されないため、この雨水が重しとなり、一定の設置安定性を確保している。
【０００５】
しかしながら、貯水タンク３３内の雨水量が少ない場合や貯水タンク３３の全高が高い場合には、貯水タンク３３内の雨水だけで十分な設置安定性を確保することは難しい。このため、図８の背面図に示すように、貯水タンク３３の背面上部にＵ字状のフック部材３６が取り付けられている。このフック部材３６に、チェーンやワイヤー等の紐状部材３７を通し、紐状部材３７先端に配設されたアンカーボルト３８等を地面に打ち込むことで、貯水タンク３３上部を後方から固定している。
【０００６】
このような従来の固定構造は、貯水タンク３３の前方への転倒はある程度抑制することができるものの、貯水タンク３３前方からの衝撃や、激しい振動等に対しては、十分な設置安定性が確保されているとは言い難い。例えば、地震や車両の通行等に伴う小刻みな振動が生じた場合には、貯水タンク３３の設置面がずれ動いたり、貯水タンク３３が転倒したりする恐れがあった。
【０００７】
その他、従来の固定構造としては、例えば、壁面とタンクの間にタンク外周の四分の一円弧の接触面を有する支持プレート、支持プレートに取付可能な梁付プレート及びベルトからなる固定構造が知られている（例えば、特許文献１参照）。
【０００８】
しかしながら、特許文献１の固定構造では、建物壁面が周囲に存在する環境でなければ貯水タンクを固定することができない。したがって、貯水タンクの設置環境が大きく制約されるという問題がある。また、支持プレートの形状が特殊であることから、貯水タンクの形状、大きさに対応させることが難しく、汎用的でないという問題を有していた。
【先行技術文献】
【特許文献】
【０００９】
【特許文献１】特開2002-88824号公報
【発明の概要】
【発明が解決しようとする課題】
【００１０】
本発明は、以上のような事情に鑑みてなされたものであり、貯水タンクの形状、大きさに対応して取り付けることが可能で、振動による貯水タンクの転倒等が抑制され、設置安定性に優れた貯水タンクの固定構造および固定部材を提供することを課題としている。
【課題を解決するための手段】
【００１１】
上記の課題を解決するため、本発明の貯水タンクの固定構造は、以下のことを特徴としている。
【００１２】
第１に、載置された貯水タンクを、固定部材によって後方から支持、固定する固定構造であって、固定部材は、垂直部と、垂直部の下端から後方に延設される水平部と、垂直部に配設される長尺なベルト部材とを有し、貯水タンクの背面と垂直部とが当接対峙した状態で水平部が地面に固定されているとともに、ベルト部材によって貯水タンクの外周面が全周に亘って外側から保持されている。
【００１３】
第２に、水平部には貫通孔が設けられており、貫通孔に挿入される締結部材によって、水平部が地面に固定されている。
【００１４】
第３に、貫通孔は、貯水タンクの前後方向に長い長孔である。
【００１５】
第４に、固定部材は、垂直部および水平部の両側端部から側片が一体に延設されて、断面略コ字状である。
【００１６】
第５に、ベルト部材の一端部は、垂直部の一方の側片に固定され、ベルト部材の他端部は、垂直部の他方の側片に固定されている。
【００１７】
第６に、貯水タンクの外周面に、１または２以上の凹溝が水平方向の全周に亘って形成されており、この凹溝内にベルト部材が嵌合している。
【００１８】
第７に、ベルト部材は、長さ調整が可能である。
【００１９】
第８に、貯水タンクの背面上部にフック部材が配設されており、両端に締結部材を備えた紐状部材が前記フック部材に係止されるとともに、この締結部材が地面に打設されて固定されることで、貯水タンクの上部が固定されている。
【００２０】
さらに、本発明の固定部材は、以下のことを特徴としている。
【００２１】
第９に、貯水タンクの固定構造に使用される固定部材であって、垂直部と、垂直部の下端から後方に延設されるとともに貫通孔が形成された水平部と、垂直部に配設されるベルト部材とを有し、ベルト部材は、貯水タンクの外周面を全周に亘って外側から保持可能とされている。
【００２２】
第１０に、貫通孔は、貯水タンクの前後方向に長い長孔である。
【００２３】
第１１に、固定部材は、垂直部および水平部の両側端部から側片が一体に延設されて、断面略コ字状である。
【００２４】
第１２に、ベルト部材の一端部は、垂直部の一方の側片に固定され、ベルト部材の他端部は、垂直部の他方の側片に固定されている。
【００２５】
第１３に、ベルト部材は、長さ調整が可能である。
【発明の効果】
【００２６】
第１の発明では、貯水タンクの背面と垂直部とが当接対峙した状態で水平部が地面に固定されている。さらに、ベルト部材によって貯水タンクの外周面が全周に亘って外側から保持されている。このため、安定して貯水タンクを固定することができるとともに、貯水タンクの形状、大きさに対応して固定部材を取り付けることが可能である。
【００２７】
第２の発明では、水平部には貫通孔が設けられており、貫通孔に挿入される締結部材によって、水平部が地面に固定されている。このため、より確実に貯水タンクを固定することができる。
【００２８】
第３の発明では、貫通孔は、貯水タンクの前後方向に長い長孔である。このため、固定部材の地面固定位置を長孔に沿って微調整することができる。これによって、固定部材による貯水タンクの設置安定性がさらに向上する。
【００２９】
第４の発明では、固定部材は、垂直部および水平部の両側端部から側片が一体に延設されて、断面略コ字状である。このため、固定部材の強度が高まり、一層、貯水タンクの設置安定性が向上する。
【００３０】
第５の発明では、ベルト部材の一端部は、垂直部の一方の側片に固定され、ベルト部材の他端部は、垂直部の他方の側片に固定されている。このため、ベルト部材による貯水タンクの保持がより確実になる。
【００３１】
第６の発明では、貯水タンクの外周面に、１または２以上の凹溝が水平方向の全周に亘って形成されており、この凹溝内にベルト部材が嵌合している。このため、ベルト部材が上下にずれ難くなり、一層、貯水タンクの設置安定性が向上する。
【００３２】
第７の発明では、ベルト部材は、長さ調整が可能である。このため、貯水タンクの形状、大きさに対応することができ、より汎用的である。
【００３３】
第８の発明では、貯水タンクの背面上部にフック部材が配設されており、両端に締結部材を備えた紐状部材が前記フック部材に係止されるとともに、この締結部材が地面に打設されて固定されることで、貯水タンクの上部が固定されている。このため、貯水タンクの上部がより安定に設置でき、貯水タンクの設置安定性がさらに向上する。
【００３４】
第９から第１３の発明は、前記第１から第８の発明の固定構造に使用することができる固定部材であって、前記第１から８の発明の効果を確実に発揮することができる。
【図面の簡単な説明】
【００３５】
【図１】本発明の貯水タンクの固定構造の一実施形態を例示した背面斜視図である。
【図２】図１に例示した実施形態の正面斜視図である。
【図３】本発明の貯水タンクの固定構造に使用される固定部材の一実施形態を例示した斜視図である。
【図４】水平部の固定片に配設された貫通孔の一形態を例示した、図３のＸ部拡大図である。
【図５】ベルト部材の端部の固定方法の一実施形態を例示した概要図である。（Ａ）は固定前、（Ｂ）は固定後の状態を例示している。
【図６】ベルト部材の長さ調整の一実施形態を例示した部分拡大図である。
【図７】一般的な貯水タンクの載置状態を例示した概要図である。
【図８】従来の貯水タンクの固定構造を例示した概要図である。
【発明を実施するための形態】
【００３６】
図１は、本発明の貯水タンクの固定構造の一実施形態を例示した背面斜視図である。図２は、図１に例示した実施形態の正面斜視図である。
【００３７】
貯水タンク１は、タンク本体２と蓋部材３を有している。タンク本体２前面の中央下方には、蛇口４が配設されている。この蛇口４より下方の水は、通常使用されないため、貯水タンク１内の水が少量の場合には、重しとしての役割を果たし、貯水タンク１の設置安定性に寄与する。
【００３８】
タンク本体２の背面には、取水、排水のためのホースを接続する接続部５を両側に有している。一方の接続部５に竪樋に設けた取水装置から分岐したホースを接続し、他方の接続部５には、余剰分の雨水を竪樋へ戻し、地中の埋設管へ排水するため排水装置へと導くホースを接続することができる。前記ホース、取水装置、排水装置の図示は省略している。
【００３９】
タンク本体２の背面には、横長の凹部２aが複数形成されている。これによって、貯水タンク１内が満水になった場合にも、膨張変形を低減することができる。また、タンク本体２の外周面には、所定の間隔で、複数の凹溝２bが水平方向の全周に亘って形成されている。この凹溝２bも、前記凹部２aと同様に、貯水タンク１の膨張変形を低減する役割を果たしている。
【００４０】
また、タンク本体２の脚部６の間にはドレンキャップ７が配設され、タンク本体２内部の清掃時には、ここから水を抜き出すことができる。
【００４１】
貯水タンク１の背面上部にフック部材８を配設されている。このフック部材８としては、例えばＵ字状の掛止具などを例示することができる。そして、両端に締結部材９aを備えた紐状部材１０をフック部材８に通すことで、紐状部材１０を係止することができる。そして、紐状部材１０にたるみが生じないように両端を引っ張り、締結部材９aを地面に打設し固定することで、貯水タンク１の背面上部を固定することができる。これによって、貯水タンク１上方の揺れや、貯水タンク１の前方への転倒等を抑制することができる。なお、紐状部材１０としては、チェーンやワイヤー等を例示することができる。また、締結部材９aとしてはネジ、アンカーボルト等を例示することができる。
【００４２】
そして、載置された貯水タンク１は、後方から固定部材１１によって支持、固定されている。図１、図２、図３を用いて説明する。
【００４３】
図３は、本発明の貯水タンクの固定構造に使用される固定部材の一実施形態を例示した斜視図である。
【００４４】
固定部材１１は、垂直部１２と、垂直部１２の下端から後方に延設される水平部１３と、垂直部１２に配設される長尺なベルト部材１４を有している。
【００４５】
垂直部１２は、貯水タンク１の背面と当接対峙する当接片１２aと、当接片１２aの両側端部から後方に向って延設される側片１２bとを有している。垂直部１２の高さは適宜設計することができるが、少なくとも、設置された際に、貯水タンク１の前面に設けられた蛇口４よりも高さが高くなるように設計することが好ましい。
【００４６】
水平部１３は、地面に当接固定される固定片１３aと、この固定片１３aの両端部から立設する側片１３bを有している。水平部１３の側片１３bは、垂直部１２の側片１２bと一体に形成されている。垂直部１２および水平部１３に側片１２b、１３bが設けられていることで、固定部材１１の強度が確保されている。
【００４７】
水平部１３の固定片１３aには、貫通孔１５が配設されている。貫通孔１５には、ネジ、アンカーボルト等の締結部材９bを挿入し、地面に打ち込むことで、水平部１３が地面に固定されている。このとき、貯水タンク１の背面と垂直部１２とが当接対峙した状態となっているため、貯水タンク１は、垂直部１２によって後方から支持される。したがって、貯水タンク１前方からの衝撃、負荷に対応することができる。
【００４８】
垂直部１２の側片１２bには、長尺なベルト部材１４の端部１４aが固定されている。ベルト部材１４の端部１４aの固定位置は特に限定されないが、タンク本体２に配設された蛇口４位置よりも高い位置に固定することが好ましい。
【００４９】
このベルト部材１４を、蛇口４より高い位置で貯水タンク１のタンク本体２の外周面の全周に亘って回し掛けることで、貯水タンク１を後方から保持、固定することができる。したがって、貯水タンク１内の水量が少なくなった場合にも、貯水タンク１の設置安定性を確保することができ、小刻みな振動による貯水タンク１の転倒等を確実に抑制することができる。また、様々な貯水タンク１の形状に対応して取り付けることができるため汎用的である。
【００５０】
さらに、前記のとおり、貯水タンク１のタンク本体２の外周面に、水平方向に複数の凹溝２bが形成されている場合には、この凹溝２bに沿ってベルト部材１４を嵌め込むことで、振動によってベルト部材１４が上下にずれ難くなるため、より一層、貯水タンク１の設置安定性が向上する。また、凹溝２b内にベルト部材１４が嵌め込まれることで、ベルト部材１４が目立ち難いため、貯水タンク１の外観意匠を良好に保つことができる。
【００５１】
ベルト部材１４の材料は、貯水タンク１の外周面を保持可能な強度を有していればよく、材料は具体的に限定されない。具体的には、例えばチェーンやワイヤー等を例示することができる。
【００５２】
図４は、図３のＸ部拡大図である。
【００５３】
水平部１３の固定片１３aに配設された貫通孔１５の形状は、貯水タンク１の前後方向に長い長孔とすることができる。これによって、貫通孔１５から挿入される締結部材９bによって水平部１３を仮固定した後、図中矢印に示すように、固定部材１１の位置を前後に微調整することができる。この微調整によって、垂直部１２の当接片１２aを貯水タンク１の背面に当接させた後、仮固定した締結部材９bを締め上げて固定する。これによって、確実に垂直部１２の当接片１２aを貯水タンク１の背面と当接対峙させることができる。このため、貯水タンク１前方からの衝撃、負荷により確実に対応することができ、貯水タンク１の設置安定性が向上する。なお、貫通孔１５の配設位置、数等は適宜設計することができる。
【００５４】
次に、ベルト部材による貯水タンクの固定方法について、さらに、図５を用いて説明する。  
【００５５】
図５は、ベルト部材の端部の固定方法の一実施形態を例示した概要図である。図５（Ａ）は固定前、図５（Ｂ）は固定後の状態を例示している。
【００５６】
図５に示した実施形態では、ベルト部材１４の長さを、貯水タンク１のタンク本体２の外周面に対応させて設計している。例えば、タンク本体２の外周の長さを確認し、ベルト部材１４を適宜長さで切断する等の方法を採用することができる。
【００５７】
ベルト部材１４の端部外周には、ネジ加工が施され、垂直部１２の側片１２bには、開口部１２cが設けられている。開口部１２cは、ベルト部材１４の形状、径の大きさに対応させることができる。
【００５８】
そして、図５（Ａ）の矢印に示したように、ベルト部材１４の端部１４aを、開口部１２cから適宜位置まで挿通する。その後、図５（Ｂ）に示したように、開口部１２cの径より径大な係止部材１６を、垂直部１２の内側から装着する。係止部材１６には、前記ベルト部材１４の端部１４a外周のネジ加工に対応するネジ加工が施されている。このため、ベルト部材１４の端部１４aに螺合させて装着することができる。この場合、係止部材１６としては、例えば、ナット等を好適に例示することができる。
【００５９】
このように、ベルト部材１４の端部１４aへ係止部材１６を装着することで、係止部材１６が開口部１２c周囲の側片１２b内面に係止される。このため、ベルト部材１４の端部１４aを確実に固定することができ、ベルト部材１４の脱離の恐れがない。
【００６０】
また、ベルト部材１４の端部１４aの加工、係止部材１６の設計によって、貯水タンク１の形状、大きさに対応させてベルト部材１４の長さを調整することができる。
【００６１】
図６は、ベルト部材の長さ調整の一実施形態を例示した部分拡大図である。
【００６２】
まず、図５と同様にして、所定領域にネジ加工が施されたベルト部材１４の端部１４aを、垂直部１２の側片１２bに設けられた開口部１２cに挿通して、内側から係止部材１６で固定する（図中左）。そして、反対側のベルト部材１４の端部１４aを、図１、図２に例示したように、貯水タンク１の背面から前面、そして背面へと貯水タンク１のタンク本体２の外周面に沿って一周させる。次に、この端部１４aを、もう一方の垂直部１２の側片１２bの開口部１２cへ挿通する（図中右）。そして、図中矢印に示すように、ベルト部材１４の端部１４aを垂直部１２の側片１２b内側へ引き込んで、ベルト部材１４が貯水タンク１の外周面に密着するようにベルト部材１４の長さを調整する。最後に、この位置でベルト部材１４の端部１４aにナット等の係止部材１６を装着、固定することで、貯水タンク１の外周面を全周に亘って保持することができる。
【００６３】
このように、固定部材１１は、ベルト部材１４によって貯水タンク１の外周面を全周に亘って保持、固定することができるため、貯水タンク１の形状、大きさに対応して取り付けることができ、汎用的である。また、前記のベルト部材１４による保持と、垂直部１２による貯水タンク１後方からの支持によって、貯水タンク１の設置安定性が相乗的に向上している。このため、振動による貯水タンク１の転倒等が抑制され、設置安定性に優れている。
【００６４】
なお、本発明は、以上のような実施形態に限定されるものではない。例えば、垂直部および水平部の形状などは、貯水タンクの大きさ、形状、周囲の設置環境に応じて適宜設計することができる。また、垂直部と水平部は、固定強度を考慮して、例えば、金属材料によって形成することができる。さらに、ベルト部材の端部の別の固定方法としては、例えば、接着剤を使用した方法を例示することができる。
【符号の説明】
【００６５】
１  貯水タンク
８  フック部材
９a, ９b  締結部材
１０  紐状部材
１１  固定部材
１２  垂直部
１２a  当接片
１２b  側片
１３  水平部
１３a  固定片
１３b  側片
１４  ベルト部材
１５  貫通孔
【図１】
2011174261.tif 000003
【図２】
2011174261.tif 000004
【図３】
2011174261.tif 000005
【図４】
2011174261.tif 000006
【図５】
2011174261.tif 000007
【図６】
2011174261.tif 000008
【図７】
2011174261.tif 000009
【図８】
2011174261.tif 000010